(57)【要約】【課題】タッチパネルに機械スイッチが設けられるものにおいて、機械スイッチの回転方向の位置を正確に検出可能とする操作装置を提供する。【解決手段】タッチパネル１２０と機械スイッチ１３０とを備え、所定の機器に対する入力操作を可能とする操作装置において、機械スイッチは、タッチパネルに固定された固定部と、非導電性材から形成されており固定部に回転可能に支持された回転部と、回転部のタッチパネルと対向する対向面１３２４に設けられた電極部と、回転部の外周面の周方向にわたって被膜形成され電極部に接続される導電性材１３５と、を有している。タッチパネルと対向面との隙間は、所定隙間Ｃ以下となるように設定されており、導電性材は、外周面において対向面からタッチパネルとは反対側に向かう所定寸法領域Ｌを除く第１領域と、第１領域から電極部に接続される第２領域とに被膜形成される。【選択図】図２
2018022474.tif 000002
【特許請求の範囲】
【請求項１】
ユーザの指によるタッチ操作が可能なタッチパネル（１２０）と、
前記タッチパネルに対する入力用の機械スイッチ（１３０）と、を備え、
前記指による前記タッチ操作、あるいは前記機械スイッチによるスイッチ操作によって、所定の機器（１０）に対する入力操作を可能とする操作装置において、
前記機械スイッチは、
前記タッチパネルに固定された固定部（１３１）と、
非導電性材から形成されており、前記固定部（１３１）に回転可能に支持された回転部（１３２）と、
前記回転部の前記タッチパネルと対向する対向面（１３２４）に設けられた電極部（１３４）と、
前記回転部の外周面（１３２３）の周方向にわたって被膜形成され、前記電極部に接続される導電性材（１３５）と、を有し、
前記タッチパネルと前記対向面との隙間は、所定隙間（Ｃ）以下となるように設定されており、
前記導電性材は、前記外周面において、前記対向面から前記タッチパネルとは反対側に向かう所定寸法領域（Ｌ）を除く第１領域と、前記第１領域から前記電極部に接続される第２領域と、に被膜形成された操作装置。
【請求項２】
前記外周面において、前記導電性材が被膜形成された領域以外の領域には、前記導電性材と同様の光沢を有する非導電性の光沢層（１３６）が設けられた請求項１に記載の操作装置。
【請求項３】
前記回転部は、前記導電性材が被膜形成された領域が第１部材（１３２Ａ）から形成されており、前記導電性材が被膜形成された領域以外の領域が第２部材（１３２Ｂ）から形成された請求項１または請求項２に記載の操作装置。
【請求項４】
前記回転部の外周側に、筒状を成して、筒軸方向の一方の端部が前記タッチパネルに固定されて、前記電極部側への被水を阻止する耐被水壁（１３７）が設けられた請求項１〜請求項３のいずれか１つに記載の操作装置。
【請求項５】
前記耐被水壁の筒軸方向の他方の端部側と、前記回転部との間に迷路状の隙間を形成するラビリンス構造部（１３２Ｃ、１３７、１３７１）が設けられた請求項４に記載の操作装置。
【発明の詳細な説明】
【技術分野】
【０００１】
本発明は、指のタッチ操作による入力を可能とするタッチパネルに、機械スイッチが設けられた操作装置に関するものである。
【背景技術】
【０００２】
従来の操作装置として、例えば、特許文献１に記載されたものが知られている。特許文献１の操作装置（表示装置）は、画像が表示されると共に、指によるタッチ操作入力を可能とするタッチパネル（タッチ機能付表示パネル）と、機械スイッチ（操作つまみ）と、を備えている。
【０００３】
機械スイッチは、扁平な円筒状を成して、タッチパネルに固定された固定部（基部）に対して回転可能に支持された回転部（ダイヤル式操作部）を有している。回転部のタッチパネルと対向する側の端面は、タッチパネルからある程度離れるように設定されている。また、回転部には、タッチパネルと対向するように、電極部（回転伝達部）が設けられている。電極部は、ダイヤル式操作部の回転操作に連動して、回転するようになっている。
【０００４】
そして、回転部、および電極部は、共に、導電性材料から形成されており、操作者が操作のために回転部に触れると、電極部に、指先と同様に電荷が集まるようになっている。よって、回転部が回転操作されると、電極部も回転し、タッチパネルのセンサは、電極部の位置を検出するようになっている。
【先行技術文献】
【特許文献】
【０００５】
【特許文献１】国際公開第２０１５／１７４０９２Ａ１号
【発明の概要】
【発明が解決しようとする課題】
【０００６】
上記特許文献１の機械スイッチにおいては、タッチパネルと回転部の端面との間が、ある程度離れるように設定されている。これに対して、回転部の内部が見えないようにして見栄えを向上させる、あるいは、回転部の内部にごみ等が入らないようにする、等のために、回転部の端面をタッチパネル側に延設して、隙間が所定寸法以下となるようにすることが考えられる。この場合、回転部が導電性材料から形成されていることから、回転部の端面側の全周部分が、タッチパネルのセンサに反応してしまう形となり、タッチパネル上における電極部の位置が正確に検出されない。  本発明の目的は、上記問題に鑑み、タッチパネルに機械スイッチが設けられるものにおいて、機械スイッチにおける電極部の位置を正確に検出可能とする操作装置を提供することにある。
【課題を解決するための手段】
【０００７】
本発明は上記目的を達成するために、以下の技術的手段を採用する。
【０００８】
本発明では、ユーザの指によるタッチ操作が可能なタッチパネル（１２０）と、
タッチパネルに対する入力用の機械スイッチ（１３０）と、を備え、
指によるタッチ操作、あるいは機械スイッチによるスイッチ操作によって、所定の機器（１０）に対する入力操作を可能とする操作装置において、
機械スイッチは、
タッチパネルに固定された固定部（１３１）と、
非導電性材から形成されており、固定部（１３１）に回転可能に支持された回転部（１３２）と、
回転部のタッチパネルと対向する対向面（１３２４）に設けられた電極部（１３４）と、
回転部の外周面（１３２３）の周方向にわたって被膜形成され、電極部に接続される導電性材（１３５）と、を有し、
タッチパネルと対向面との隙間は、所定隙間（Ｃ）以下となるように設定されており、
導電性材は、外周面において、対向面からタッチパネルとは反対側に向かう所定寸法領域（Ｌ）を除く第１領域と、第１領域から電極部に接続される第２領域と、に被膜形成されたことを特徴としている。
【０００９】
この発明によれば、回転部（１３２）の対向面（１３２４）とタッチパネル（１２０）との隙間が、所定隙間（Ｃ）以下となるように設定されている場合であっても、導電性材（１３５）は、外周面（１３２３）において、第１領域と第２領域とに被膜形成されている。つまり、接続部（１３５ａ）を除く所定寸法領域（Ｌ）は、外周面において、導電性材が形成されない非形成領域となっている。よって、導電性材が回転部の外周面の周方向の全体にわたってタッチパネルに反応してしまうことがなく、電極部の位置を正確に検出することが可能となる。  
【００１０】
尚、上記各手段の括弧内の符号は、後述する実施形態記載の具体的手段との対応関係を示すものである。
【図面の簡単な説明】
【００１１】
【図１】第１実施形態における操作装置の全体構成を示す説明図である。
【図２】図１におけるII方向から見た機械スイッチを示す矢視図である。
【図３】図２におけるIII方向から見た機械スイッチを示す矢視図である。
【図４】図３におけるIV−IV部における機械スイッチを示す断面図である。
【図５】第２実施形態における機械スイッチを示す外観図である。
【図６】第３実施形態における操作装置の全体構成を示す説明図である。
【図７】第４実施形態における機械スイッチの構造を示す断面斜視図である。
【図８】図７におけるＶIII部を示す拡大図である。
【図９】図７におけるIＸ部を示す拡大図である。
【発明を実施するための形態】
【００１２】
以下に、図面を参照しながら本発明を実施するための複数の形態を説明する。各形態において先行する形態で説明した事項に対応する部分には同一の参照符号を付して重複する説明を省略する場合がある。各形態において構成の一部のみを説明している場合は、構成の他の部分については先行して説明した他の形態を適用することができる。各実施形態で具体的に組み合わせが可能であることを明示している部分同士の組み合わせばかりではなく、特に組み合わせに支障が生じなければ、明示していなくても実施形態同士を部分的に組み合せることも可能である。
【００１３】
（第１実施形態）
第１実施形態の操作装置１００について、図１〜図４を用いて説明する。操作装置１００は、例えば、車両用として設定されている。操作装置１００は、ユーザが、タッチパネル１２０に対して、指によるタッチ操作を行う、あるいは機械スイッチ１３０によるスイッチ操作を行うことが可能となっている。そして、これらの操作に基づいて、制御装置１５０によって、ディスプレイ１１０における画像の表示状態が制御されると共に、車両に搭載される所定の機器１０の作動条件が設定され（入力操作され）、作動状態が制御される装置となっている。所定の機器１０は、例えば、車両用空調装置、車両用オーディオ装置、あるいはカーナビゲーション装置等である。
【００１４】
操作装置１００は、図１に示すように、ディスプレイ１１０、タッチパネル１２０、機械スイッチ１３０、タッチ検出装置１４０、および制御装置１５０等を備えている。ディスプレイ１１０、タッチパネル１２０、および機械スイッチ１３０は、入力部を形成し、車両のインストルメントパネルの例えば中央部に配置されて、ユーザから見やすく、またユーザが操作（タッチ操作、スイッチ操作）しやすいように設けられている。また、タッチ検出装置１４０、および制御装置１５０は、インストルメントパネル内に配置されている。
【００１５】
ディスプレイ１１０は、ユーザ側から見た正面形状が横長の四角形（矩形状）を成す画像表示用の表示器となっており、例えば、液晶ディスプレイ、有機ＥＬディスプレイ等によって構成されている。ディスプレイ１１０には、制御装置１５０によって、所定の機器１０の作動状態、および作動条件を入力するための各種アイコン等が画像として表示されるようになっている。各種アイコンは、入力項目が大別されたメニューアイコン、更に具体的な作動条件を設定するための設定アイコン等が、階層的に設けられたものとなっており、ディスプレイ１１０の表示面の所定領域に表示されるようになっている。
【００１６】
タッチパネル１２０は、ユーザの指によるタッチ操作（タッチ入力）を可能とするものである。また、タッチパネル１２０は、機械スイッチ１３０のスイッチ操作に基づく入力も可能としている。タッチパネル１２０は、透明で、上記ディスプレイ１１０の表示面に対応する四角形（矩形状）の板状を成す検知部であり、ディスプレイ１１０の表示面（表面）に重なるように設けられている。タッチパネル１２０のタッチ操作、およびスイッチ操作が行われる側の面（ユーザ側の表面）は、タッチ面１２１となっている。ディスプレイ１１０における所定の機器１０の作動状態、および各種アイコン等は、タッチパネル１２０を透過してユーザに視認されるようになっている。
【００１７】
タッチパネル１２０としては、例えば、静電容量式のもの、抵抗膜式のもの、超音波表面弾性波式のもの、光学式のもの、あるいは電磁誘導式のもの等、各種タイプのものを使用することができる。本実施形態では、タッチパネル１２０は、静電容量式（自己容量方式）のものが使用されている。静電容量式のタッチパネル１２０には、マトリックス状に形成された複数の透明な電極が設けられている。
【００１８】
タッチパネル１２０は、ユーザのタッチ操作による指の位置に応じて生ずる静電容量の変化（静電容量の変化信号）をタッチ検出装置１４０に出力するようになっている。また、同様に、タッチパネル１２０は、ユーザの機械スイッチ１３０を用いたスイッチ操作による電極部１３４（詳細後述）の位置に応じて生ずる静電容量の変化（静電容量の変化信号）をタッチ検出装置１４０に出力するようになっている。
【００１９】
機械スイッチ１３０は、タッチパネル１２０に対する入力用のスイッチである。機械スイッチ１３０は、例えば、全体形状が扁平な円筒状を成して、後述するように、ユーザの回転操作によって、所定の機器１０に対する入力操作を可能とする回転式のスイッチとなっており、タッチパネル１２０の所定部位に設けられている。ここでは、図１に示すように、機械スイッチ１３０は、タッチパネル１２０のタッチ面１２１領域内において、右下部に設けられている。
【００２０】
機械スイッチ１３０は、所定の機器１０の作動設定値を調節するためのスイッチとなっている。例えば、所定の機器１０を車両用空調装置としたとき、機械スイッチ１３０は、作動設定値として設定温度を調節するためのスイッチ、あるいは作動設定値として風量を調節するためのスイッチとなっている。各機械スイッチ１３０が左側（反時計回り）に回転操作されると、作動設定値がより小さくなる側に変更され、また、右側（時計回り）に回転操作されると、作動設定値がより大きくなる側に変更されるようになっている。
【００２１】
機械スイッチ１３０は、図２〜図４に示すように、固定部１３１、回転部１３２、クリックピン１３３、電極部１３４、および導電性材１３５等を有している。
【００２２】
固定部１３１は、機械スイッチ１３０の回転軸となるものであり、外周面１３１ａが、タッチパネル１２０から離れる方向に向けて外径が大きくなる円錐形の一部を成すように形成されている。固定部１３１は、例えば、透光性のある（透明な）樹脂材によって形成されている。固定部１３１のタッチパネル１２０側となる面は、底面１３１ｂとなっている。また、外周面１３１ａには、径方向外側に延びて、周方向にわたって配置されたクリック板１３１ｃが固定されている。クリック板１３１ｃのタッチパネル１２０側となる面には、周方向に連続する凹凸部が形成されている。そして、底面１３１ｂの中心部には、例えば、両面テープ１３１ｄが設けられており、この両面テープ１３１ｄによって、固定部１３１はタッチパネル１２０のタッチ面１２１に固定されている。尚、固定部１３１のタッチ面１２１への固定にあたっては、両面テープ１３１ｄの他にも、接着剤、磁石等を用いたものとしてもよい。
【００２３】
回転部１３２は、扁平円筒状を成して、固定部１３１の外周面１３１ａに対して回転可能に支持された部材であり、例えば、樹脂材のような非導電性材から形成されている。回転部１３２は、扁平な円筒状を成す本体部１３２ａと、本体部１３２ａのタッチパネル１２０側の端部から、タッチ面１２１に沿って本体部１３２ａの中心側に延びる底板部１３２ｂとを有している。
【００２４】
本体部１３２ａにおいて、タッチパネル１２０とは反対側となる端部の内側は、固定部１３１の外周面１３１ａに当接する内周面１３２１となっている。内周面１３２１は、回転部１３２が回転操作される際に外周面１３１ａに対して摺動する面となっている。また、内周面１３２１のタッチパネル１２０側には、内周面１３２２が形成されている。内周面１３２２は、内周面１３２１からタッチパネル１２０側に向けて垂直に立てられた面となっている。内周面１３２２には、クリック板１３１ｃの先端部が接触するようになっている。そして、本体部１３２ａの外側の面が、外周面１３２３となっている。
【００２５】
底板部１３２ｂにおいて、タッチパネル１２０と向かい合う面は、対向面１３２４となっている。タッチパネル１２０と対向面１３２４との隙間は、所定隙間Ｃ以下となっている。所定隙間Ｃは、例えば、０．５ｍｍ程度の隙間である。即ち、本体部１３２ａにおけるタッチパネル１２０側に延びる端部位置は、タッチ面１２１に近接するように配置されている。
【００２６】
クリックピン１３３は、回転部１３２に対する回転操作を行ったときに、ユーザにクリック感を与える部材となっている。クリックピン１３３の一端側は、図示しない付勢部材を介して、底板部１３２ｂに固定されている。よって、クリックピン１３３は、回転部１３２と共に回転（移動）するようになっている。また、クリックピン１３３の先端部（他端側）は、付勢部材によってクリック板１３１ｃの凹凸部に付勢されている。クリックピン１３３は、底板部１３２ｂの周方向において向かい合うように、２つ設けられている。回転部１３２が回転操作されると、クリックピン１３３の先端部がクリック板１３１ｃの凹凸部を移動し、クリック感が得られるようになっている。
【００２７】
電極部１３４は、機械スイッチ１３０の回転位置をタッチパネル１２０に対して入力するための（検知させるための）部材となっている。電極部１３４は、四角形を成す導電性の板部材から形成され、タッチ操作をする際のユーザの指先に相当する部材となっており、底板部１３２ｂの対向面１３２４に固定（接合）されている。電極部１３４のタッチパネル１２０と対向する面は、タッチ面１２１に接触するようになっている。電極部１３４は、回転部１３２が回転操作される際に、回転部１３２と共にタッチ面１２１上を移動するようになっている。
【００２８】
導電性材１３５は、回転部１３２の外周面１３２３の周方向の全体にわたって被膜形成されると共に、電極部１３４に接続された部材となっている。導電性材１３５の電極部１３４に接続される部位は、接続部１３５ａとなっている。導電性材１３５としては、例えば、Ｃｕ材、Ｃｕ−Ｎｉ材、あるいはＣｕ−Ｎｉ−Ｃｒ材等が用いられている。また、導電性材１３５は、例えば、メッキ、塗装、蒸着、あるいは印刷等によって、外周面１３２３に被膜形成されている。
【００２９】
ユーザが機械スイッチ１３０（外周面１３２３）を摘まんだときに、導電性材１３５によって、ユーザの指が、電極部１３４に導通するようになっている。つまり、タッチパネル１２０には、ユーザが機械スイッチ１３０を摘まんでスイッチ操作を行うときに、電極部１３４によって（電極部１３４の位置に応じて）、タッチパネル１２０に静電容量の変化が生ずるようになっている。
【００３０】
そして、本実施形態では、導電性材１３５は、回転部１３２の外周面１３２３の全面ではなくて、対向面１３２４からタッチパネル１２０とは反対側に向かう所定寸法領域Ｌを除く第１領域と、第１領域から電極部１３４に接続される第２領域、即ち接続部１３５ａとに被膜形成されている。換言すると、導電性材１３５は、所定寸法領域Ｌにおいて接続部１３５ａを除く領域には、被膜形成されないものとなっている。接続部１３５ａを除く所定寸法領域Ｌは、外周面１３２３において、導電性材１３５が形成されない非形成領域となっている。所定寸法領域Ｌは、本実施形態では、例えば、対向面１３２４から１〜３ｍｍ程度の領域としている。
【００３１】
タッチ検出装置１４０は、タッチパネル１２０上におけるユーザの指の位置、あるいは機械スイッチ１３０の電極部１３４の位置を検出する装置である。タッチ検出装置１４０は、タッチ操作時において、タッチパネル１２０から出力される静電容量の変化信号を基に、ユーザの指が、タッチパネル１２０上のどこにあるか、あるいはどこからどこへ移動したかを検出して、検出信号（指の座標位置）を制御装置１５０へ出力するようになっている。
【００３２】
また、タッチ検出装置１４０は、機械スイッチ１３０の電極部１３４によるタッチパネル１２０上での静電容量の変化信号を基に、スイッチ操作時の電極部１３４が、タッチパネル１２０上のどこにあるか、あるいはどこからどこへ移動したかを検出して、検出信号（電極部１３４の回転方向および回転量）を制御装置１５０へ出力するようになっている。
【００３３】
制御装置１５０は、タッチ検出装置１４０から出力される検出信号に基づいて、ディスプレイ１１０における各種アイコン、更には所定の機器１０の作動状態にかかる表示を制御すると共に、所定の機器１０の作動を制御するようになっている。
【００３４】
操作装置１００は、以上のように構成されており、以下、操作装置１００の作動について説明する。
【００３５】
まず、タッチパネル１２０に対するタッチ操作は、主に、運転動作を伴わない車両の停車時に、ユーザがディスプレイ１１０に表示される作動状態や、各種アイコンを見ながら、指によって行う操作となる。ユーザはタッチパネル１２０上で、所望するアイコンの位置にタッチすることで、タッチ検出装置１４０から検出信号（指の座標位置）が制御装置１５０に出力される。制御装置１５０は、タッチ検出装置１４０から出力された検出信号（指の座標位置）に基づき、ディスプレイ１１０における表示状態を制御すると共に所定の機器１０の作動を制御する。
【００３６】
一方、機械スイッチ１３０を用いたスイッチ操作は、主に、運転中において、ディスプレイ１１０の表示を注視せずとも、機械スイッチ１３０に対する手の感触をもって回転操作する、いわゆるブラインドタッチの操作となる。
【００３７】
機械スイッチ１３０に対してスイッチ操作が行われる場合は、機械スイッチ１３０を摘まむユーザの指が、導電性材１３５を介して電極部１３４に導通することから、タッチ検出装置１４０は、タッチパネル１２０上における電極部１３４を検出する。そして、タッチ検出装置１４０は、電極部１３４のタッチパネル１２０上の座標位置から、機械スイッチ１３０の回転方向、および回転量を算出すると共に、回転方向と回転量を制御装置１５０に検出信号として出力する。
【００３８】
そして、制御装置１５０は、タッチ検出装置１４０から出力される検出信号（回転方向と回転量）に基づいて、ディスプレイ１１０における所定の機器１０の作動状態にかかる表示を制御すると共に、所定の機器１０の作動を制御するようになっている。尚、制御装置１５０は、スイッチ操作された機械スイッチ１３０の回転方向、および回転量に応じて、所定の機器１０の作動設定値（設定温度、あるいは風量等）を変更する。
【００３９】
本実施形態によれば、回転部１３２の対向面１３２４とタッチパネル１２０との隙間が、所定隙間Ｃ以下となるように設定されている場合であっても、導電性材１３５は、外周面１３２３において、第１領域と第２領域とに被膜形成されている。つまり、接続部１３５ａを除く所定寸法領域Ｌは、外周面１３２３において、導電性材１３５が形成されない非形成領域となっている。よって、導電性材１３５が回転部１３２の外周面１３２３の周方向の全体にわたってタッチパネル１２０に反応してしまうことがなく、電極部１３４の位置を正確に検出することが可能となる。
【００４０】
（第２実施形態）
第２実施形態の機械スイッチ１３０Ａを図５に示す。第２実施形態は、上記第１実施形態に対して、外周面１３２３における導電性材１３５の非形成領域に、導電性材１３５と同様の光沢を有する非導電性の光沢層１３６を設けたものである。光沢層１３６は、例えば、塗装によって形成される。尚、導電性材１３５の非形成領域は、本発明の導電性材が被膜形成された領域以外の領域に対応する。
【００４１】
これにより、回転部１３２の外周面１３２３において、導電性材１３５の非形成領域の外観を導電性材１３５の設けられた領域の外観と同等とすることができ、外周面１３２３全体の外観を違和感のないものにすることができる。尚、非導電性の光沢層１３６は、導電性材１３５の領域を覆うように設けられていてもよい。
【００４２】
（第３実施形態）
第３実施形態の操作装置１００Ａを図６に示す。第３実施形態の操作装置１００Ａは、上記第１実施形態の操作装置１００に対して、ディスプレイ１１０に対してタッチパネル１２０を別体として、ディスプレイ１１０と異なる位置に配置したものである。
【００４３】
本実施形態のタッチパネル１２０は、いわゆるタッチパッドであり、よりユーザの操作し易い位置、例えば、車両のセンターコンソールにおけるシフトレバーに隣接する位置等に設けられている。タッチパネル１２０には、上記第１実施形態と同様の機械スイッチ１３０が設けられている。
【００４４】
本実施形態においても、上記第１実施形態と同様の効果を得ることができる。
【００４５】
（第４実施形態）
第４実施形態の機械スイッチ１３０Ｂを図７〜図９に示す。第４実施形態は、上記第１実施形態に対して、固定部１３１の形状を変更し、回転部１３２が、２つの部材から形成されるようにすると共に、耐被水壁１３７を追加したものである。
【００４６】
固定部１３１は、上記第１実施形態に対して、機械スイッチ１３０Ｂの中心側が中空となる漏斗状に形成されており、底面１３１ｂがタッチ面１２１に固定されている。固定部１３１の外周側（回転部１３２側）には、段部１３１１が設けられており、この段部１３１１によって、回転部１３２が固定部１３１から抜けることなく、タッチ面１２１に対して回転可能に支持されるようになっている。
【００４７】
固定部１３１には、上記第１実施形態で説明したクリック板１３１ｃに相当する部位が一体的に形成されている。図８、図９では、クリック板１３１ｃに相当する部位を、括弧付の符号（１３１ｃ）にて表示している。また、固定部１３１の内周側には、周方向に対して所定の幅寸法を有して、中心側に張出す張出し部１３１Ａが設けられている。張出し部１３１Ａのユーザ側の面（タッチ面１２１とは反対側の面）に、例えば、機械スイッチの機能（種類）を表示するための所定のマークが付けられている。
【００４８】
回転部１３２は、第１部材１３２Ａと第２部材１３２Ｂとから形成されている。第１部材１３２Ａは、上記第１実施形態における、導電性材１３５が被膜形成された領域に対応し、また、第２部材１３２Ｂは、導電性材１３５が被膜形成された領域以外の領域に対応している。第１部材１３２Ａは、例えば、ＡＢＳ樹脂材が用いられており、表面には、メッキ処理により導電性材１３５が被膜されている。また、第２部材１３２Ｂは、例えば、ＰＣ樹脂材が用いられており、表面には、導電性材１３５は被膜されていない。第１部材１３２Ａと第２部材１３２Ｂは、例えば、２色成形によって一体的に形成されている。
【００４９】
第１部材１３２Ａは、図８に示すように、壁部１３２５、底板部１３２６、および折返し部１３２７を有している。壁部１３２５は、固定部１３１の外周側で、タッチ面１２１から垂直に立上る壁となっている。壁部１３２５は、回転部１３２における外周面の一部を形成する部位となっている。
【００５０】
また、底板部１３２６は、壁部１３２５のタッチ面１２１側の端部から、タッチ面１２１に沿って回転部１３２の中心側に延びる板状の部位となっている。底板部１３２６のタッチ面１２１と対向する面には、電極部１３４が固定されている。そして、壁部１３２５と底板部１３２６における回転部１３２の周方向の寸法は、電極部１３４の寸法と同等に設定されている。壁部１３２５、および底板部１３２６は、上記第１実施形態における接続部１３５ａに対応する部位となっている。
【００５１】
折返し部１３２７は、壁部１３２５のタッチ面１２１とは反対側の端部から回転部１３２の径方向外側で、タッチ面１２１側に向けて折返された壁となっている（図８、図９）。折返し部１３２７の折返された先端位置は、壁部１３２５の立上る方向の中間位置まで延びている。折返し部１３２７は、壁部１３２５と共に回転部１３２の外周面の一部を形成するように、全周にわたってリング状に形成されている。壁部１３２５と折返し部１３２７との間は、後述する耐被水壁１３７の先端側が挿入される隙間部１３２Ｃとなっている。
【００５２】
第２部材１３２Ｂは、図９に示すように、壁部１３２８、底板部１３２９、および折返し部１３３０を有している。壁部１３２８は、上記第１部材１３２Ａにおける壁部１３２５に相当する壁となっており、回転部１３２の周方向において、壁部１３２５を除く領域に設けられている。壁部１３２８は、壁部１３２５と共に回転部１３２における基本的な外周面を形成する部位となっている。
【００５３】
また、底板部１３２９は、壁部１３２８のタッチ面１２１側の端部からタッチ面１２１に沿って回転部１３２の中心側に延びる板状の部位となっている。
【００５４】
折返し部１３３０は、底板部１３２９の延設された先端部からタッチ面１２１とは反対方向に垂直に折返しされた壁となっている。折返し部１３３０は、回転部１３２の周方向の所定位置に複数（ここでは２カ所）形成されている。壁部１３２８と折返し部１３３０との間に形成される空間には、クリックピン１３３が装着されて、クリックピン１３３の先端部は、固定部１３１のクリック板１３１ｃに相当する部位に当接している。
【００５５】
耐被水壁１３７は、例えば、こぼれた飲み物等による電極部１３４への被水を阻止する部材であり、回転部１３２（壁部１３２５、１３２８）の外周側に設けられた扁平な筒状の部材となっている。耐被水壁１３７は、例えば、ＰＣ樹脂材によって形成されており、表面は、所定の色（例えば、つや消し黒）で形成されている。耐被水壁１３７の筒軸方向の一方の端部は、タッチ面１２１（タッチパネル１２０）に固定（接合）されている。耐被水壁１３７の筒軸方向の他方の端部側は、回転部１３２の隙間部１３２Ｃに挿入されている。また、耐被水壁１３７の筒軸方向の中間部には、径方向の外側に突出する凸部１３７１が全周にわたって形成されている。凸部１３７１は、折返し部１３２７の先端部と隣り合うように設けられている。
【００５６】
凸部１３７１と折返し部１３２７の先端部との間、耐被水壁１３７と折返し部１３２７との間、および耐被水壁１３７と壁部１３２５、１３２８との間には、所定寸法の隙間が形成されて、これら隙間は、外部から電極部１３４に至るまでに、クランク状に繋がるように形成されている。即ち、耐被水壁１３７の筒軸方向の他方の端部側と、回転部１３２との間に迷路状の隙間が形成されて、ラビリンス構造部（１３２Ｃ、１３７、１３７１）となっている。
【００５７】
以上のように、本実施形態では、回転部１３２を、導電性材１３５が被膜形成された第１部材１３２Ａと、導電性材１３５が被膜形成されない第２部材１３２Ｂとから形成されるようにしているので、導電性材１３５が必要とされる部位と必要とされない部位との仕分けを容易に行うことができ、回転部１３２の形成が容易となる。
【００５８】
また、回転部１３２の外周側に耐被水壁１３７を設けるようにしているので、例えば、運転中にユーザが飲み物等を機械スイッチ１３０にこぼしてしまった場合でも、電極部１３４に対する被水を阻止することができ、電極部１３４によるタッチ面１２１への入力機能が損なわれることがない。
【００５９】
また、耐被水壁１３７の表面を所定色（ここでは、つや消し黒）として形成することができ、機械スイッチ１３０Ｂとしての見栄えを向上させることができる。
【００６０】
（その他の実施形態）
上記各実施形態では、固定部１３１の外周面１３１ａ、および回転部１３２の内周面１３２１は、タッチパネル１２０から離れる方向に向けて外径が大きくなる円錐形の一部を成すようにした。しかしながら、これに限定されるものではなく、固定部１３１、および回転部１３２に互いの位置規制部等を設けることで、外周面１３１ａ、および内周面１３２１を軸方向に平行な筒状の面としてもよい。
【００６１】
また、機械スイッチ１３０のスイッチ操作に基づく、所定の機器１０への入力項目として、例えば、車両空調装置の設定温度、風量等としたが、これに限定されることなく、例えば、オーディオ装置のボリューム等とするなど、各種対応が可能である。
【００６２】
また、上記各実施形態では、機械スイッチ１３０（１３０Ａ）は、タッチパネル１２０に対して、１つ設けられたものとして説明したが、機械スイッチ１３０（１３０Ａ）の設定数は、これに限定されるものではなく、必要に応じた数を設定するようにすればよい。
【符号の説明】
【００６３】
１０  所定の機器
１００、１００Ａ  操作装置
１２０  タッチパネル
１３０、１３０Ａ  機械スイッチ
１３１  固定部
１３２  回転部
１３２Ａ  第１部材
１３２Ｂ  第２部材
１３２３  外周面
１３２４  対向面
１３４  電極部
１３５  導電性材
１３６  光沢層
１３７  耐被水壁
１３２Ｃ、１３７、１３７１  ラビリンス構造部
【図１】
2018022474.tif 000003
【図２】
2018022474.tif 000004
【図３】
2018022474.tif 000005
【図４】
2018022474.tif 000006
【図５】
2018022474.tif 000007
【図６】
2018022474.tif 000008
【図７】
2018022474.tif 000009
【図８】
2018022474.tif 000010
【図９】
2018022474.tif 000011